(57)【特許請求の範囲】
【請求項１】
移動通信システムにおける基地局のチャンネル状態情報（ｃｈａｎｎｅｌ  ｓｔａｔｅ  ｉｎｆｏｒｍａｔｉｏｎ、ＣＳＩ）受信方法であって、
チャンネル測定のための複数のチャンネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）に関する情報を含むフィードバック設定情報を端末に送信する段階と、
前記複数のＣＳＩ−ＲＳに関する情報に基づいて生成されたチャンネル品質インジケータ（ｃｈａｎｎｅｌ  ｑｕａｌｉｔｙ  ｉｎｄｉｃａｔｏｒ、ＣＱＩ）を前記端末から受信する段階と、を含み、
前記ＣＱＩは、Ｎ個のアンテナポートに対応し、前記Ｎ個のアンテナポートは、複数のＣＳＩ−ＲＳに関するアンテナポートの和に基づいて決定される
ことを特徴とする方法。
【請求項２】
前記Ｎ個のアンテナポートの個数は、第１ＣＳＩ−ＲＳに対するアンテナポートの個数と、第２ＣＳＩ−ＲＳに対するアンテナポートの個数との合計である
ことを特徴とする、請求項１に記載の方法。
【請求項３】
前記第１ＣＳＩ−ＲＳに対するアンテナポートの個数と、前記第２ＣＳＩ−ＲＳに対するアンテナポートの個数は、同一である
ことを特徴とする、請求項２に記載の方法。
【請求項４】
前記複数のＣＳＩ−ＲＳに対応するランクインジケータ（ｒａｎｋ  ｉｎｄｉｃａｔｏｒ、ＲＩ）を前記端末から受信する段階をさらに含む
ことを特徴とする、請求項１に記載の方法。
【請求項５】
前記複数のＣＳＩ−ＲＳに関する情報は、前記複数のＣＳＩ−ＲＳに対応するコードブック情報（ｃｏｄｅｂｏｏｋ  ｉｎｆｏｒｍａｔｉｏｎ）を含む
ことを特徴とする、請求項１に記載の方法。
【請求項６】
移動通信システムにおけるチャンネル状態情報（ｃｈａｎｎｅｌ  ｓｔａｔｅ  ｉｎｆｏｒｍａｔｉｏｎ、ＣＳＩ）を受信する基地局であって、
通信部と、
前記通信部と連結され、チャンネル測定のための複数のチャンネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）に関する情報を含むフィードバック設定情報を端末に送信し、前記複数のＣＳＩ−ＲＳに関する情報に基づいて生成されたチャンネル品質インジケータ（ｃｈａｎｎｅｌ  ｑｕａｌｉｔｙ  ｉｎｄｉｃａｔｏｒ、ＣＱＩ）を前記端末から受信するように制御する制御部と、を含み、
前記ＣＱＩは、Ｎ個のアンテナポートに対応し、前記Ｎ個のアンテナポートは、複数のＣＳＩ−ＲＳに関するアンテナポートの和に基づいて決定される
ことを特徴とする、基地局。
【請求項７】
前記Ｎ個のアンテナポートの個数は、第１ＣＳＩ−ＲＳに対するアンテナポートの個数と、第２ＣＳＩ−ＲＳに対するアンテナポートの個数との合計である
ことを特徴とする、請求項６に記載の基地局。
【請求項８】
前記第１ＣＳＩ−ＲＳに対するアンテナポートの個数と、前記第２ＣＳＩ−ＲＳに対するアンテナポートの個数は、同一である
ことを特徴とする、請求項７に記載の基地局。
【請求項９】
前記制御部は、前記複数のＣＳＩ−ＲＳに対応するランクインジケータ（ｒａｎｋ  ｉｎｄｉｃａｔｏｒ、ＲＩ）を前記端末から受信するように制御する
ことを特徴とする、請求項６に記載の基地局。
【請求項１０】
前記複数のＣＳＩ−ＲＳに関する情報は、前記複数のＣＳＩ−ＲＳに対応するコードブック情報（ｃｏｄｅｂｏｏｋ  ｉｎｆｏｒｍａｔｉｏｎ）を含む
ことを特徴とする、請求項６に記載の基地局。
【請求項１１】
移動通信システムにおける端末のチャンネル状態情報（ｃｈａｎｎｅｌ  ｓｔａｔｅ  ｉｎｆｏｒｍａｔｉｏｎ、ＣＳＩ）送信方法であって、
チャンネル測定のための複数のチャンネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）に関する情報を含むフィードバック設定情報を基地局から受信する段階と、
前記複数のＣＳＩ−ＲＳに関する情報に基づいて、Ｎ個のアンテナポートに対するチャンネル品質インジケータ（ｃｈａｎｎｅｌ  ｑｕａｌｉｔｙ  ｉｎｄｉｃａｔｏｒ、ＣＱＩ）を生成する段階と、
前記Ｎ個のアンテナポートに対するＣＱＩを前記基地局に送信する段階と、を含み、
前記Ｎ個のアンテナポートは、複数のＣＳＩ−ＲＳに関するアンテナポートの和に基づいて決定される
ことを特徴とする、方法。
【請求項１２】
前記Ｎ個のアンテナポートの個数は、第１ＣＳＩ−ＲＳに対するアンテナポートの個数と、第２ＣＳＩ−ＲＳに対するアンテナポートの個数との合計である
ことを特徴とする、請求項１１に記載の方法。
【請求項１３】
前記第１ＣＳＩ−ＲＳに対するアンテナポートの個数と、前記第２ＣＳＩ−ＲＳに対するアンテナポートの個数は、同一である
ことを特徴とする、請求項１２に記載の方法。
【請求項１４】
前記複数のＣＳＩ−ＲＳに対応するランクインジケータ（ｒａｎｋ  ｉｎｄｉｃａｔｏｒ、ＲＩ）を生成する段階と、
前記複数のＣＳＩ−ＲＳに対応するＲＩを前記基地局に送信する段階と、をさらに含む
ことを特徴とする、請求項１１に記載の方法。
【請求項１５】
前記複数のＣＳＩ−ＲＳに関する情報は、前記複数のＣＳＩ−ＲＳに対応するコードブック情報（ｃｏｄｅｂｏｏｋ  ｉｎｆｏｒｍａｔｉｏｎ）を含む
ことを特徴とする、請求項１１に記載の方法。
【請求項１６】
移動通信システムにおけるチャンネル状態情報（ｃｈａｎｎｅｌ  ｓｔａｔｅ  ｉｎｆｏｒｍａｔｉｏｎ、ＣＳＩ）を送信する端末であって、
通信部と、
前記通信部と連結され、チャンネル測定のための複数のチャンネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）に関する情報を含むフィードバック設定情報を基地局から受信し、前記複数のＣＳＩ−ＲＳに関する情報に基づいて、Ｎ個のアンテナポートに対するチャンネル品質インジケータ（ｃｈａｎｎｅｌ  ｑｕａｌｉｔｙ  ｉｎｄｉｃａｔｏｒ、ＣＱＩ）を生成し、前記Ｎ個のアンテナポートに対するＣＱＩを前記基地局に送信するように制御する制御部と、を含み、
前記Ｎ個のアンテナポートは、複数のＣＳＩ−ＲＳに関するアンテナポートの和に基づいて決定される
ことを特徴とする、端末。
【請求項１７】
前記Ｎ個のアンテナポートの個数は、第１ＣＳＩ−ＲＳに対するアンテナポートの個数と、第２ＣＳＩ−ＲＳに対するアンテナポートの個数との合計である
ことを特徴とする、請求項１６に記載の端末。
【請求項１８】
前記第１ＣＳＩ−ＲＳに対するアンテナポートの個数と、前記第２ＣＳＩ−ＲＳに対するアンテナポートの個数は、同一である
ことを特徴とする、請求項１７に記載の端末。
【請求項１９】
前記制御部は、前記複数のＣＳＩ−ＲＳに対応するランクインジケータ（ｒａｎｋ  ｉｎｄｉｃａｔｏｒ、ＲＩ）を生成し、前記複数のＣＳＩ−ＲＳに対応するＲＩを前記基地局に送信するように制御する
ことを特徴とする、請求項１６に記載の端末。
【請求項２０】
前記複数のＣＳＩ−ＲＳに関する情報は、前記複数のＣＳＩ−ＲＳに対応するコードブック情報（ｃｏｄｅｂｏｏｋ  ｉｎｆｏｒｍａｔｉｏｎ）を含む
ことを特徴とする、請求項１６に記載の端末。
【発明の詳細な説明】
【技術分野】
【０００１】
本発明は、一般的な無線移動通信システムに関し、特にＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓなどのようなマルチキャリア（ｍｕｌｔｉ−ｃａｒｒｉｅｒ）を用いる多重アクセス方式（Ｍｕｌｔｉｐｌｅ  Ａｃｃｅｓｓ  ｓｃｈｅｍｅ）を適用した無線移動通信システムで端末がＣｈａｎｎｅｌ  ｑｕａｌｉｔｙ（無線チャンネル状態）を測定し、測定結果を基地局に通報するためのチャンネル状態情報の送受信方法に関する。
【背景技術】
【０００２】
現在、移動通信システムは初期の音声中心のサービスの提供から外れてデータサービス及びマルチメディアサービス提供のために高速、ハイクオリティーの無線パケットデータ通信システムに発展しつつある。このために３ＧＰＰ、３ＧＰＰ２、及びＩＥＥＥなどの多くの標準化団体でマルチキャリアを用いたＭｕｌｔｉｐｌｅ  Ａｃｃｅｓｓ方式を適用した３世代進化移動通信システム標準を進行している。近年、３ＧＰＰのＬｏｎｇ  Ｔｅｒｍ  Ｅｖｏｌｕｔｉｏｎ（ＬＴＥ）、３ＧＰＰ２のＵｌｔｒａ  Ｍｏｂｉｌｅ  Ｂｒｏａｄｂａｎｄ（ＵＭＢ）、及びＩＥＥＥの８０２．１６ｍなどの多様な移動通信標準がマルチキャリアを用いたＭｕｌｔｉｐｌｅ  Ａｃｃｅｓｓ方式を基づいて高速、ハイクオリティーの無線パケットデータ送信サービスをサポートするために開発された。
【０００３】
ＬＴＥ、ＵＭＢ、８０２．１６ｍなどの現存する３世代進化移動通信システムは、ｍｕｌｔｉ−ｃａｒｒｉｅｒ  ｍｕｌｔｉｐｌｅ  Ａｃｃｅｓｓ方式に基づき、送信効率を改善するためにＭｕｌｔｉｐｌｅ  Ｉｎｐｕｔ  Ｍｕｌｔｉｐｌｅ  Ｏｕｔｐｕｔ（ＭＩＭＯ、多重アンテナ）を適用してｂｅａｍ−ｆｏｒｍｉｎｇ（ビームフォーミング）、Ａｄａｐｔｉｖｅ  Ｍｏｄｕｌａｔｉｏｎ  ａｎｄ  Ｃｏｄｉｎｇ（ＡＭＣ、適応変調及び符号）方法とＣｈａｎｎｅｌ  ｓｅｎｓｉｔｉｖｅ（チャンネル感応）ｓｃｈｅｄｕｌｉｎｇ方法などの多様な技術を用いる特徴を持っている。前記の様々な技術はＣｈａｎｎｅｌ  ｑｕａｌｉｔｙなどによって多くのアンテナから送信する送信電力を集中したり送信するデータ量を調節し、チャンネルクオリティーが良いユーザに選択的にデータを送信するなどの方法を通じて送信効率を改善してシステム容量性能を改善させる。このような技法は、大部分が基地局（ｅＮＢ：ｅｖｏｌｖｅｄ  Ｎｏｄｅ  Ｂ、ＢＳ：Ｂａｓｅ  Ｓｔａｔｉｏｎ）と端末（ＵＥ：Ｕｓｅｒ  Ｅｑｕｉｐｍｅｎｔ、ＭＳ：Ｍｏｂｉｌｅ  Ｓｔａｔｉｏｎ）の間のチャンネル状態情報に基づいて動作するから、ｅＮＢまたはＵＥは基地局と端末の間のチャンネル状態を測定する必要があり、この時用いられることがチャンネル状態指示基準信号（Ｃｈａｎｎｅｌ  Ｓｔａｔｕｓ  Ｉｎｄｉｃａｔｉｏｎ  Ｒｅｆｅｒｅｎｃｅ  ｓｉｇｎａｌ、ＣＳＩ−ＲＳ）である。前述したｅＮＢは一定の場所に位置したダウンリンク（ｄｏｗｎｌｉｎｋ）送信及びアップリンク（ｕｐｌｉｎｋ）受信装置を意味し、１つのｅＮＢは複数個のｃｅｌｌに対する送受信を行う。１つの移動通信システムで複数個のｅＮＢが地理的に分散されており、それぞれのｅＮＢは複数個のｃｅｌｌに対する送受信を行う。
【０００４】
ＬＴＥ／ＬＴＥ−Ａなどの現存する３世代及び４世代移動通信システムは、データ送信率及びシステム容量の拡大のために複数個の送受信アンテナを用いて送信するＭＩＭＯ技術を活用する。前記ＭＩＭＯ技術は、複数個の送受信アンテナを活用することによって複数個の情報ストリーム（ｉｎｆｏｒｍａｔｉｏｎ  ｓｔｒｅａｍ）を空間的に分離して送信する。このように複数個のｉｎｆｏｒｍａｔｉｏｎ  ｓｔｒｅａｍを空間的に分離して送信することを空間多重化（ｓｐａｔｉａｌ  ｍｕｌｔｉｐｌｅｘｉｎｇ）と言う。一般的に、幾つの情報ストリームに対して空間多重化を適用することができるかは送信機及び受信機のアンテナ数により変わる。一般的に、幾つの情報ストリームに対して空間多重化を適用することができるかを当該送信のランク（ｒａｎｋ）と言う。ＬＴＥ／ＬＴＥ−Ａ  Ｒｅｌｅａｓｅ  １１までの標準でサポートするＭＩＭＯ技術の場合、送受信アンテナがそれぞれ８個ある場合に対する空間多重化をサポートし、ｒａｎｋが最大８までサポートされる。
【０００５】
一方、本発明で提案する技術が適用されるＦＤ−ＭＩＭＯシステムは、既存のＬＴＥ／ＬＴＥ−ＡＭＩＭＯ技術が進化されて８個より多い３２個、若しくはその以上の送信アンテナが用いられる場合に該当する。
【０００６】
ＦＤ−ＭＩＭＯシステムは、数十個またはその以上の送信アンテナを活用してデータを送信する無線通信システムを称する。
【０００７】
図１は、ＦＤ−ＭＩＭＯシステムを示す図面である。
【０００８】
図１で１００の基地局送信装備は、数十個またはその以上の送信アンテナで無線信号を送信する。複数個の送信アンテナは１１０のように互いに最小距離を維持するように配置される。前記最小距離の一例としては、送信される無線信号の波長長さの半分である。一般的に、送信アンテナの間に無線信号の波長長さの半分となる距離が維持される場合、各送信アンテナから送信される信号は互いに相関度が低い無線チャンネルの影響を受けるようになる。送信する無線信号の帯域が２ＧＨｚの場合、この距離は７．５ｃｍとなり、帯域が２ＧＨｚより高くなればこの距離はさらに短くなる。
【０００９】
図１で１００の基地局に配置された数十個またはその以上の送信アンテナは、１つまたは複数個の端末で１２０のように信号を送信することに活用される。複数の送信アンテナには適切なプリコーディング（ｐｒｅｃｏｄｉｎｇ）が適用されて複数の端末に同時に送信するようにする。この時、１つの端末は１個またはその以上の情報ストリームを受信することができる。一般的に、１個の端末が受信することができる情報ストリームの個数は端末が保有している受信アンテナ数とチャンネル状況により決定される。
【００１０】
前記ＦＤ−ＭＩＭＯシステムを効果的に具現するためには、端末がチャンネル状況及び干渉のサイズを正確に測定し、これを用いて効果的なチャンネル状態情報を基地局へ送信しなければならない。前記チャンネル状態情報を受信した基地局はこれを用いてダウンリンクの送信に係ってどんな端末に送信を行うか、どんなデータ伝送速度で送信を行うか、どんなプリコーディングを適用するか等を決定する。ＦＤ−ＭＩＭＯシステムの場合、送信アンテナ個数が多いから従来のＬＴＥ／ＬＴＥ−Ａシステムのチャンネル状態情報の送受信方法を適用する場合、アップリンクで多くの制御情報を送信しなければならないアップリンクオーバーヘッド問題が発生する。
【００１１】
移動通信システムにおいて時間、周波数、及び電力リソースは限定されている。よって、基準信号により多いリソースを割り当てるようになればトラフィックチャンネル（ｔｒａｆｆｉｃ  Ｃｈａｎｎｅｌ）（データトラフィックチャンネル）送信に割り当てることができるリソースが減るようになり、送信されるデータの絶対的な量が減ることができる。このような場合、チャンネル測定（Ｃｈａｎｎｅｌ  ｍｅａｓｕｒｅｍｅｎｔ）及び評価（ｅｓｔｉｍａｔｉｏｎ）の性能は改善されるが、送信されるデータの絶対量が減少するので全体システム容量性能は、むしろ低下されることができる。
【００１２】
したがって、全体システム容量側面において最適の性能を導出することができるように基準信号のためのリソースとトラフィックチャンネル送信のための信号のリソースの間に適切な配分が必要である。
【００１３】
図２は、ＬＴＥ／ＬＴＥ−Ａシステムでダウンリンクでスケジューリングできる最小単位である１サブフレーム（ｓｕｂｆｒａｍｅ）及び１ＲＢの無線リソースを示す図面である。
【００１４】
図２に示された無線リソースは、時間軸上で１個のサブフレーム（ｓｕｂｆｒａｍｅ）からなり、周波数軸上で１個のリソースブロック（Ｒｅｓｏｕｒｃｅ  Ｂｌｏｃｋ、ＲＢ）からなる。このような無線リソースは周波数領域で１２個のサブキャリア（ｓｕｂｃａｒｒｉｅｒ）からなり、時間領域で１４個のＯＦＤＭシンボルからなり、総１６８個の固有周波数及び時間位置持つようにする。ＬＴＥ／ＬＴＥ−Ａでは前記図２のそれぞれの固有周波数及び時間位置をリソース要素（Ｒｅｓｏｕｒｃｅ  ｅｌｅｍｅｎｔ、ＲＥ）と言う。
【００１５】
前記図２に示された無線リソースには以下のような複数個の互いに異なる種類の信号が送信されることができる。
１．ＣＲＳ（Ｃｅｌｌ  Ｓｐｅｃｉｆｉｃ  ＲＳ）：１つのｃｅｌｌに属したすべての端末のために周期的に送信される基準信号であり、複数個の端末が共通的に用いることができる。
２．ＤＭＲＳ（Ｄｅｍｏｄｕｌａｔｉｏｎ  Ｒｅｆｅｒｅｎｃｅ  Ｓｉｇｎａｌ）：特定端末のために送信される基準信号であり、当該端末にデータを送信する場合だけで送信される。ＤＭＲＳは総８個のＤＭＲＳ  ｐｏｒｔからなることができる。ＬＴＥ／ＬＴＥ−Ａではｐｏｒｔ  ７からｐｏｒｔ  １４までＤＭＲＳ  ｐｏｒｔに当該し、ｐｏｒｔはＣＤＭ又はＦＤＭを用いて互いに干渉を発生させないようにｏｒｔｈｏｇｏｎａｌｉｔｙを維持する。
３．ＰＤＳＣＨ  （Ｐｈｙｓｉｃａｌ  Ｄｏｗｎｌｉｎｋ  Ｓｈａｒｅｄ  Ｃｈａｎｎｅｌ）：ダウンリンクに送信されるデータチャンネルで基地局が端末にトラフィックを送信するために用い、前記図２のｄａｔａ  ｒｅｇｉｏｎで基準信号が送信されないＲＥを用いて送信される
４．ＣＳＩ−ＲＳ  （Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）：１つのｃｅｌｌに属した端末のために送信される基準信号をチャンネル状態を測定するのに用いられる。１つのｃｅｌｌには複数個のＣＳＩ−ＲＳが送信されることができる。
５．その他の制御チャンネル（ＰＨＩＣＨ、ＰＣＦＩＣＨ、ＰＤＣＣＨ）：端末がＰＤＳＣＨを受信するのに必要な制御情報を提供したりアップリンクのデータ送信に対するＨＡＲＱを操作するためのＡＣＫ／ＮＡＣＫ送信
【００１６】
前記信号の外にＬＴＥ−Ａ  システムでは他の基地局の送信するＣＳＩ−ＲＳが当該セルの端末に干渉なしに受信されることができるようにミューティング（ｍｕｔｉｎｇ）を設定することができる。前記ミューティングはＣＳＩ−ＲＳが送信されることができる位置で適用されることができ、一般的に端末は当該の無線リソースをスキッピングしてトラフィック信号を受信する。ＬＴＥ−Ａシステムでミューティングは、また他の用語で０電力ＣＳＩ−ＲＳ（ｚｅｒｏ−ｐｏｗｅｒ  ＣＳＩ−ＲＳ）と呼ばれたりする。ミューティングの特性上、ＣＳＩ−ＲＳの位置に適用されて送信電力が送信されないからである。
【００１７】
図２でＣＳＩ−ＲＳはＣＳＩ−ＲＳを送信するアンテナ数によりＡ、Ｂ、Ｃ、Ｄ、Ｅ、Ｅ、Ｆ、Ｇ、Ｈ、Ｉ、Ｊと表示された位置の一部を用いて送信されることができる。また、ミューティングもＡ、Ｂ、Ｃ、Ｄ、Ｅ、Ｅ、Ｆ、Ｇ、Ｈ、Ｉ、Ｊと表示された位置の一部に適用されることができる。特に、ＣＳＩ−ＲＳは送信するアンテナポート数により２個、４個、８個のＲＥで送信されることができる。アンテナポート数が２個である場合、前記図２で特定パターンの半分ＣＳＩ−ＲＳが送信され、アンテナポート数が４個である場合、特定パターンの全体にＣＳＩ−ＲＳが送信され、アンテナポート数が８個である場合、２個のパターンを用いて  ＣＳＩ−ＲＳが送信される。一方、ミューティングの場合、常に１個のパターン単位からなる。すなわち、ミューティングは複数個のパターンに適用されることはできるがＣＳＩ−ＲＳと位置が重ならない場合、１個のパターンの一部にのみ適用されることはできない。ただ、ＣＳＩ−ＲＳの位置とミューティングの位置が重なる場合に限って１個のパターンの一部にのみ適用されることができる。
【００１８】
２個のアンテナポートに対するＣＳＩ−ＲＳが送信される場合、ＣＳＩ−ＲＳは時間軸で連結された２個のＲＥで各アンテナポートの信号を送信し、各アンテナポートの信号は直交コードに区分される。さらに、４個のアンテナポートに対するＣＳＩ−ＲＳが送信される場合、２個のアンテナポートのためのＣＳＩ−ＲＳに追加で２個のＲＥをさらに用いて同様の方法で追加で２個のアンテナポートに対する信号を送信する。８個のアンテナポートに対するＣＳＩ−ＲＳが送信される場合も同様である。
【００１９】
セルラーシステムにおいてダウンリンクチャンネル状態を測定するために基準信号（Ｒｅｆｅｒｅｎｃ  ｓｉｇｎａｌ）を送信しなければならない。３ＧＰＰのＬＴＥ−Ａ（Ｌｏｎｇ  Ｔｅｒｍ  Ｅｖｏｌｕｔｉｏｎ  Ａｄｖａｎｃｅｄ）システムの場合、基地局が送信するＣＲＳまたはチャンネル状態情報基準信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）を用いて端末は基地局と自分の間のチャンネル状態を測定する。前記チャンネル状態は、基本的に幾つかの要素を考慮すべきであり、ここにはダウンリンクでの干渉量が含まれる。前記ダウンリンクでの干渉量は隣接基地局に属したアンテナにより発生される干渉信号及び熱雑音などが含まれ、端末がダウンリンクのチャンネル状況を判定するのに重要である。一例として、送信アンテナが一個である基地局で受信アンテナが１個の端末へ送信する場合、端末は基地局で受信された基準信号でダウンリンクに受信することができるシンボル当りエネルギーと該シンボルを受信する区間で同時に受信される干渉量を判定してＥｓ／Ｉｏを決定しなければならない。決定されたＥｓ／Ｉｏはデータ送信速度またはそれに相応する値に変換されて基地局にチャンネル品質インジケータ（Ｃｈａｎｎｅｌ  Ｑｕａｌｉｔｙ  Ｉｎｄｉｃａｔｏｒ、ＣＱＩ）の形態に通報されて基地局がダウンリンクで端末にどんなデータ伝送速度で送信を行うかを判定することができるようにする。
【００２０】
ＬＴＥ−Ａシステムの場合、端末はダウンリンクのチャンネル状態に対する情報を基地局にフィードバックして基地局のダウンリンクスケジューリングに活用するようにする。すなわち、端末はダウンリンクで基地局が送信する基準信号を測定し、ここで抽出した情報をＬＴＥ／ＬＴＥ−Ａ標準で定義する形態で基地局にフィードバックすることである。ＬＴＥ／ＬＴＥ−Ａで端末がフィードバックする情報としては大きく次の３つの情報がある。
１．ランクインジケータ（Ｒａｎｋ  Ｉｎｄｉｃａｔｏｒ、ＲＩ）：端末が現在のチャンネル状態で受信することができるｓｐａｔｉａｌ  ｌａｙｅｒの個数
２．プリコーダマトリクスインジケータ（Ｐｒｅｃｏｄｅｒ  Ｍａｔｒｉｘ  Ｉｎｄｉｃａｔｏｒ、ＰＭＩ）：端末が現在のチャンネル状態で選好するＰｒｅｃｏｄｉｎｇ  ｍａｔｒｉｘに対するインジケータ
３．チャンネル品質インジケータ（Ｃｈａｎｎｅｌ  Ｑｕａｌｉｔｙ  Ｉｎｄｉｃａｔｏｒ、ＣＱＩ）：端末が現在のチャンネル状態で受信することができる最大データ送信率（ｄａｔａ  ｒａｔｅ）。ＣＱＩは最大データ送信率と類似に活用されることができるＳＩＮＲ、最大のエラー訂正符号化率（ｃｏｄｅ  ｒａｔｅ）及び変調方式、周波数当たりデータ効率などで取り替えられる。
【００２１】
前記ＲＩ、ＰＭＩ、ＣＱＩは互いに連関されて意味を持つ。一例として、ＬＴＥ／ＬＴＥ−Ａでサポートするｐｒｅｃｏｄｉｎｇ  ｍａｔｒｉｘはｒａｎｋ別に異なるように定義されている。したがって、ＲＩが１の値を持つ時、ＰＭＩ値ＸとＲＩが２の値を持つ時、ＰＭＩ値Ｘは異なるように解釈される。また、端末がＣＱＩを決定する時にも自分が基地局に通報したＰＭＩとＸが基地局で適用されたという仮定をする。すなわち、端末がＲＩ＿Ｘ、ＰＭＩ＿Ｙ、ＣＱＩ＿Ｚを基地局に通報したことはｒａｎｋをＲＩ＿Ｘとし、ＰｒｅｃｏｄｉｎｇをＰＭＩ＿Ｙとする時、ＣＱＩ＿Ｚに該当するデータ送信率を当該の端末が受信することができると通報することと同様である。このように端末はＣＱＩを計算する時に基地局にどんな送信方式を行うかを仮定して当該の送信方式に実際送信を行った時の最適化された性能を得ることができるようにする。
【００２２】
ＬＴＥ／ＬＴＥ−Ａで端末の周期的フィードバックはどんな情報を含むかによって次の４つのうちの１個のフィードバックモード（ｆｅｅｄｂａｃｋ  ｍｏｄｅ  ｏｒ  ｒｅｐｏｒｔ  ｉｎｇ  ｍｏｄｅ）と設定される：
１．Ｒｅｐｏｒｔｉｎｇ  ｍｏｄｅ  １−０：ＲＩ、広帯域（ｗｉｄｅｂａｎｄ）ＣＱＩ（ｗＣＱＩ）
２．Ｒｅｐｏｒｔｉｎｇ  ｍｏｄｅ  １−１：ＲＩ、ｗＣＱＩ、ＰＭＩ
３．Ｒｅｐｏｒｔｉｎｇ  ｍｏｄｅ  ２−０：ＲＩ、ｗＣＱＩ、狭帯域（ｓｕｂｂａｎｄ）ＣＱＩ（ｓＣＱＩ）
４．Ｒｅｐｏｒｔｉｎｇ  ｍｏｄｅ  ２−１：ＲＩ、ｗＣＱＩ、ｓＣＱＩ、ＰＭＩ
前記４個のフィードバックモードに対する各情報のフィードバックタイミングは上位信号（ｈｉｇｈｅｒ  ｌａｙｅｒ  ｓｉｇｎａｌ）に伝達するＮｐｄ  、ＮＯＦＦＳＥＴ、ＣＱＩ、ＭＲＩ、及びＮＯＦＦＳＥＴ、ＲＩなどの値により決定される。フィードバックモード１−０でｗＣＱＩの送信周期はＮｐｄであり、ＮＯＦＦＳＥＴ、ＣＱＩのサブフレームオフセット値をもってフィードバックタイミングが決定される。また、ＲＩの送信周期はＮｐｄ＊ＭＲＩであり、オフセットはＮＯＦＦＳＥＴ、ＣＱＩ  ＋  ＮＯＦＦＳＥＴ、ＲＩである。
【００２３】
図３は、Ｎｐｄ＝２、ＭＲＩ＝２、ＮＯＦＦＳＥＴ、ＣＱＩ＝１、ＮＯＦＦＳＥＴ、ＲＩ＝−１の場合にＲＩ及びｗＣＱＩのフィードバックタイミングを示す図面である。図３で各タイミングはサブフレームインデックスを示す。
【００２４】
フィードバックモード１−１は、モード１−０のようなフィードバックタイミングを持つがｗＣＱＩ送信タイミングでｗＣＱＩとＰＭＩが共に送信されるという差を持つ。
【００２５】
フィードバックモード２−０でｓＣＱＩに対するフィードバック周期はＮｐｄであり、オフセット値はＮＯＦＦＳＥＴ、ＣＱＩである。さらに、ｗＣＱＩに対するフィードバック周期はＨ＊Ｎｐｄであり、オフセット値はｓＣＱＩのオフセット値のようにＮＯＦＦＳＥＴ、ＣＱＩである。ここでＨ＝Ｊ＊Ｋ＋１と定義されるが、Ｋは上位信号へ伝達し、Ｊはシステム帯域幅（ｂａｎｄｗｉｄｔｈ）により決定される値である。
【００２６】
例えば、１０ＭＨｚシステムに対するＪ値は３と定義される。結局、ｗＣＱＩはＨ番のｓＣＱＩ送信ごとに一度ずつ、これに取り替えて送信される。そしてＲＩの周期はＭＲＩ＊Ｈ＊Ｎｐｄ  であり、オフセットはＮＯＦＦＳＥＴ、ＣＱＩ＋ＮＯＦＦＳＥＴ、ＲＩである。
【００２７】
図４は、Ｎｐｄ＝２、ＭＲＩ＝２、Ｊ＝３（１０ＭＨｚ）、Ｋ＝１、ＮＯＦＦＳＥＴ、ＣＱＩ＝１、ＮＯＦＦＳＥＴ、ＲＩ＝−１の場合に対するＲＩ、ｓＣＱＩ、ｗＣＱＩフィードバックタイミングを示す図面である。
【００２８】
フィードバックモード２−１は、モード２−０のようなフィードバックタイミングを持つが  ｗＣＱＩ送信タイミングでＰＭＩが共に送信されるという差を持つ。
【００２９】
前述したフィードバックタイミングはＣＳＩ−ＲＳアンテナポート個数が４個以下の場合であり、８個のアンテナポートに対するＣＳＩ−ＲＳを割り当てられた端末の場合は、前記フィードバックタイミングと異なり２個のＰＭＩ情報がフィードバックされなければならない。８個のＣＳＩ−ＲＳアンテナポートに対してフィードバックモード１−１は、さらに２個のサブモード（ｓｕｂｍｏｄｅ）に分けられ、第１のサブモードではＲＩが第１のＰＭＩ情報と共に送信されて第２のＰＭＩ情報はｗＣＱＩと共に送信される。ここでｗＣＱＩと第２のＰＭＩに対するフィードバックの周期とオフセットはＮｐｄとＮＯＦＦＳＥＴ、ＣＱＩと定義され、ＲＩと第１のＰＭＩ情報に対するフィードバック周期とオフセット値はそれぞれＭＲＩ＊ＮｐｄとＮＯＦＦＳＥＴ、ＣＱＩ＋ＮＯＦＦＳＥＴ、ＲＩと定義される。ここで第１のＰＭＩに該当するｐｒｅｃｏｄｉｎｇ  ｍａｔｒｉｘをＷ１といい、第２のＰＭＩに該当するｐｒｅｃｏｄｉｎｇ  ｍａｔｒｉｘをＷ２というと、端末と基地局は端末が選好するｐｒｅｃｏｄｉｎｇ  ｍａｔｒｉｘがＷ１Ｗ２と決定されたという情報を共有する。
【００３０】
８個のＣＳＩ−ＲＳアンテナポートに対するフィードバックモード２−１の場合は、プリコーディングタイプインジケータ（ｐｒｅｃｏｄｉｎｇ  ｔｙｐｅ  ｉｎｄｉｃａｔｏｒ、ＰＴＩ）情報のフィードバックが追加される。ＰＴＩはＲＩと共にフィードバックされ、その周期はＭＲＩ＊Ｈ＊Ｎｐｄであり、オフセットはＮＯＦＦＳＥＴ、ＣＱＩ＋ＮＯＦＦＳＥＴ、ＲＩ  と定義される。ＰＴＩが０の場合には第１のＰＭＩ、第２のＰＭＩ、及びｗＣＱＩが共にフィードバックされ、ｗＣＱＩと第２のＰＭＩが同じタイミングに共に送信され、その周期はＮｐｄであり、オフセットはＮＯＦＦＳＥＴ、ＣＱＩで与えられる。さらに、第１のＰＭＩの周期はＨ’＊Ｎｐｄであり、オフセットはＮＯＦＦＳＥＴ、ＣＱＩである。ここで  Ｈ’は上位信号へ伝達する。一方に、ＰＴＩが１の場合にはＰＴＩがＲＩと共に送信されてｗＣＱＩと第２のＰＭＩが共に送信されてｓＣＱＩが追加で別途のタイミングにフィードバックされる。この場合に第１のＰＭＩは送信されない。ＰＴＩとＲＩの周期及びオフセットはＰＴＩが０の場合の同様であり、ｓＣＱＩは周期がＮｐｄオフセットが  ＮＯＦＦＳＥＴ、ＣＱＩと定義される。さらに、ｗＣＱＩと第２のＰＭＩはＨ＊Ｎｐｄの周期とＮＯＦＦＳＥＴ、ＣＱＩのオフセットをもってフィードバックされ、ＨはＣＳＩ−ＲＳアンテナポート個数が４の場合のように定義される。
【００３１】
図５及び６は、Ｎｐｄ＝２、ＭＲＩ＝２、Ｊ＝３（１０ＭＨｚ）、Ｋ＝１、Ｈ’＝３、ＮＯＦＦＳＥＴ、ＣＱＩ＝１、ＮＯＦＦＳＥＴ、ＲＩ＝−１の場合に対してそれぞれＰＴＩ＝０とＰＴＩ＝１の場合のフィードバックタイミングを示す図面である。
【発明の概要】
【発明が解決しようとする課題】
【００３２】
一般的に、ＦＤ−ＭＩＭＯのように送信アンテナの個数が多い場合、ここに比例するＣＳＩ−ＲＳを送信しなければならない。一例として、ＬＴＥ／ＬＴＥ−Ａで８個の送信アンテナを用いる場合、基地局は８−ｐｏｒｔに該当するＣＳＩ−ＲＳを端末に送信してダウンリンクのチャンネル状態を測定するようにする。この時、基地局で８−ｐｏｒｔに該当するＣＳＩ−ＲＳを送信するのに１個のＲＢ内で前記図２のＡ、Ｂのように８個のＲＥで構成される無線リソースを用いるべきである。このようなＬＴＥ／ＬＴＥ−Ａ方式のＣＳＩ−ＲＳ送信をＦＤ−ＭＩＭＯに適用する場合、送信アンテナ数に比例する無線リソースがＣＳＩ−ＲＳに割り当てられなければならない。すなわち、基地局の送信アンテナが１２８個である場合、基地局は１個のＲＢ内で総１２８個のＲＥを用いてＣＳＩ−ＲＳを送信しなければならない。このようなＣＳＩ−ＲＳ送信方式は過多な無線リソースを要するから無線データ送受信に必要な無線リソースを減少させる逆効果がある。
【課題を解決するための手段】
【００３３】
本発明の目的は、前記のような問題点を解決するために案出されたもので、ＬＴＥ−Ａシステムに基づくＦＤ−ＭＩＭＯ送受信で効果的なデータ送受信のために端末における基準信号を測定、チャンネル状態情報生成、チャンネル状態情報の送信する方法及び装置を提供するにある。また、基地局から端末に基準信号を送信して端末が送信したチャンネル状態情報を受信する方法及び装置を提供するにある。
【００３４】
前記のような目的を達成するための本発明の移動通信システムで基地局のフィードバック情報受信方法は、少なくとも２個の基準信号のそれぞれに対する設定情報を端末に送信する段階と、前記少なくとも２個の基準信号を測定して前記測定結果によるフィードバック情報を生成するためのフィードバック設定情報を前記端末に送信する段階と、前記少なくとも２個の基準信号を前記端末に送信する段階と、及び前記フィードバック設定情報によるフィードバックタイミングで前記端末から送信されるフィードバック情報を受信する段階と、を含むことを特徴とする。
【００３５】
また、本発明の移動通信システムで端末からフィードバック情報を受信する基地局は、端末と信号を送受信する通信部と、及び少なくとも２個の基準信号のそれぞれに対する設定情報を端末に送信し、前記少なくとも２個の基準信号を測定して前記測定結果によるフィードバック情報を生成するためのフィードバック設定情報を前記端末に送信し、前記少なくとも２個の基準信号を前記端末に送信し、前記フィードバック設定情報によるフィードバックタイミングで前記端末から送信されるフィードバック情報を受信するように制御する制御部と、を含むことを特徴とする。
【００３６】
また、本発明の移動通信システムで端末のフィードバック情報送信方法は、少なくとも２個の基準信号のそれぞれに対する設定情報を基地局から受信する段階と、前記少なくとも２個の基準信号を測定して前記測定結果によるフィードバック情報を生成するためのフィードバック設定情報を前記基地局から受信する段階と、前記少なくとも２個の基準信号を前記基地局から受信する段階と、前記受信された少なくとも２個の基準信号を測定し、前記フィードバック設定情報によってフィードバック情報を生成する段階と、及び前記生成されたフィードバック情報を前記フィードバック設定情報によるフィードバックタイミングから前記基地局に送信する段階と、を含むことを特徴とする。
【００３７】
また、本発明の移動通信システムで基地局にフィードバック情報を送信する端末は、前記基地局と信号を送受信する通信部と、及び少なくとも２個の基準信号それぞれに対する設定情報を基地局から受信し、前記少なくとも２個の基準信号を測定して前記測定結果によるフィードバック情報を生成するためのフィードバック設定情報を前記基地局から受信し、前記少なくとも２個の基準信号を前記基地局から受信し、前記受信された少なくとも２個の基準信号を測定して前記フィードバック設定情報によってフィードバック情報を生成し、前記生成されたフィードバック情報を前記フィードバック設定情報によるフィードバックタイミングから前記基地局に送信するように制御する制御部と、を含むことを特徴とする。
【発明の効果】
【００３８】
上述した本発明の実施形態によれば、ＦＤ−ＭＩＭＯと同様の多い数の送信アンテナを持つ基地局でＣＳＩ−ＲＳを送信するのに過多な無線リソースを割り当てることを防止することができ、端末は効果的に多くの数の送信アンテナに対するチャンネルを測定し、これをフィードバック情報で構成して基地局に通報することができる。
【図面の簡単な説明】
【００３９】
【図１】ＦＤ−ＭＩＭＯシステムを示す図面である。
【図２】ＬＴＥ／ＬＴＥ−Ａシステムでダウンリンクでスケジューリングできる最小単位である１サブフレーム（ｓｕｂｆｒａｍｅ）  及び１ＲＢの無線リソースを示す図面である。
【図３】本発明の一実施形態によるフィードバックタイミングを示す図面である。
【図４】本発明の一実施形態によるフィードバックタイミングを示す図面である。
【図５】本発明の一実施形態によるフィードバックタイミングを示す図面である。
【図６】本発明の一実施形態によるフィードバックタイミングを示す図面である。
【図７】ＦＤ−ＭＩＭＯのためのＣＳＩ−ＲＳの送信を示す図面である。
【図８】端末が２個のＣＳＩ−ＲＳに対してそれぞれＲＩ、ＰＭＩ、ＣＱＩを送信することを示す図面である。
【図９】本発明の第１実施形態によって端末が２個のＣＳＩ−ＲＳに対してＲＩ、ＰＭＩ、ＣＱＩを送信する方法を示す図面である。
【図１０】本発明の第２実施形態によって端末が２個のＣＳＩ−ＲＳに対してＲＩ、ＰＭＩ、ＣＱＩを送信する方法を示す図面である。
【図１１ａ】本発明の第３実施形態によって端末が２個のＣＳＩ−ＲＳに対してＲＩ、ＰＭＩ、ＣＱＩを送信する方法を示す図面である。
【図１１ｂ】本発明の第３実施形態によって端末が２個のＣＳＩ−ＲＳに対してＲＩ、ＰＭＩ、ＣＱＩを送信する方法を示す図面である。
【図１２】本発明の実施形態による基地局の動作手順を示すフローチャートである。
【図１３】本発明の実施形態による端末の動作手順を示すフローチャートである。
【図１４】本発明の実施形態による端末の内部構造を示すブロック図である。
【図１５】本発明の実施形態による基地局の内部構造を示すブロック図である。
【発明を実施するための形態】
【００４０】
以下、本発明の実施形態を添付した図面と共に詳しく説明する。また、本発明を説明するにおいて関連する公知機能、若しくは構成に対する具体的な説明が本発明の要旨を不明瞭にすることができると判定された場合、その詳細な説明は省略する。さらに、後述される用語は本発明における機能を考慮して定義された用語として、これはユーザ、運用者の意図または慣例などによって変わることができる。したがって、その定義は本明細書の全般にわたった内容に基づいて下されるべきである。
【００４１】
さらに、本発明の実施形態を具体的に説明するにおいて、ＯＦＤＭに基づく無線通信システム、特に３ＧＰＰ  ＥＵＴＲＡ標準を主な対象とするが、本発明の主な要旨は類似の技術的背景及びチャンネル形態を持つその他の通信システムにも本発明の範囲を大きく逸脱せず範囲で僅かの変形で適用可能であり、これは本発明の技術分野で熟練された技術的知識を有する者の判定で可能であろう。
【００４２】
ＦＤ−ＭＩＭＯのように多い数の送信アンテナを持つ基地局でＣＳＩ−ＲＳを送信するのに過多な無線リソースを割り当てることを防止しながら端末にとって多い数の送信アンテナに対するチャンネル測定ができるようにする方法としてはＣＳＩ−ＲＳをＮ個の次元に分離して送信する方法がある。一例として、基地局の送信アンテナが前記図１のように２次元に配列されている場合、ＣＳＩ−ＲＳを  ２個の次元に分離して送信することができる。
【００４３】
このような原理により、基地局から端末に送信される基準信号を第１ＣＳＩ−ＲＳ及び第２ＣＳＩ−ＲＳと称することができる。さらに、本発明の実施形態によれば、前記２個の種類の基準信号をそれぞれ水平方向及び垂直方向に区分し、一方のＣＳＩ−ＲＳは水平方向のチャンネル情報を測定するようにする水平ＣＳＩ−ＲＳ（Ｈｏｒｉｚｏｎｔａｌ  ＣＳＩ−ＲＳ）と運営し、他方のＣＳＩ−ＲＳは垂直方向のチャンネル情報を測定するようにする垂直ＣＳＩ−ＲＳ（Ｖｅｒｔｉｃａｌ  ＣＳＩ−ＲＳ）と運営することができる。以下に後述する本発明の原理が適用されるためには必ず基準信号を水平及び垂直成分に区分されるべきものではないが、説明の便宜のために、基地局から端末に送信される基準信号がＨｏｒｉｚｏｎｔａｌ  ＣＳＩ−ＲＳ及び  Ｖｅｒｔｉｃａｌ  ＣＳＩ−ＲＳであることを仮定し、以下の説明を記述する。
【００４４】
図７は、ＦＤ−ＭＩＭＯのためのＣＳＩ−ＲＳの送信を示す図面である。
【００４５】
図７にＦＤ−ＭＩＭＯを運営する基地局は、総３２個のアンテナから構成されている。図７から３００の３２個のアンテナはそれぞれＡ０、．．．、Ａ３、Ｂ０、．．．、Ｂ３、Ｃ０、．．．、Ｃ３、Ｄ０、．．．、Ｄ３、Ｅ０、．．．、Ｅ３、Ｆ０、．．．、Ｆ３、Ｇ０、．．．、Ｇ３、Ｈ０、．．．、Ｈ３と表示されている。前記図３の３２個のアンテナは２個のＣＳＩ−ＲＳに送信される。水平方向のチャンネル状態を測定するようにするＨ−ＣＳＩ−ＲＳは次の８個のアンテナポートから構成される。
―  Ｈ−ＣＳＩ−ＲＳ  ｐｏｒｔ    ０：アンテナＡ０、Ａ１、Ａ２、Ａ３が合してなる
―  Ｈ−ＣＳＩ−ＲＳ  ｐｏｒｔ    １：アンテナＢ０、Ｂ１、Ｂ２、Ｂ３が合してなる
―  Ｈ−ＣＳＩ−ＲＳ  ｐｏｒｔ    ２：アンテナＣ０、Ｃ１、Ｃ２、Ｃ３が合してなる
―  Ｈ−ＣＳＩ−ＲＳ  ｐｏｒｔ    ３：アンテナＤ０、Ｄ１、Ｄ２、Ｄ３が合してなる
―  Ｈ−ＣＳＩ−ＲＳ  ｐｏｒｔ    ４：アンテナＥ０、Ｅ１、Ｅ２、Ｅ３が合してなる
―  Ｈ−ＣＳＩ−ＲＳ  ｐｏｒｔ    ５：アンテナＦ０、Ｆ１、Ｆ２、Ｆ３が合してなる
―  Ｈ−ＣＳＩ−ＲＳ  ｐｏｒｔ    ６：アンテナＧ０、Ｇ１、Ｇ２、Ｇ３が合してなる
―  Ｈ−ＣＳＩ−ＲＳ  ｐｏｒｔ    ７：アンテナＨ０、Ｈ１、Ｈ２、Ｈ３が合してなる
【００４６】
前記で複数個のアンテナが合して１個のＣＳＩ−ＲＳ  ｐｏｒｔを生成することはアンテナ仮想化（ａｎｔｅｎｎａ  ｖｉｒｔｕａｌｉｚａｔｉｏｎ）を意味することで、一般的に複数アンテナの線形的結合を通じて行われる。さらに、垂直方向のチャンネル状態を測定するようにするＶ−ＣＳＩ−ＲＳは次の４個のアンテナポートから構成される。
―  Ｖ−ＣＳＩ−ＲＳ  ｐｏｒｔ    ０：アンテナＡ０、Ｂ０、Ｃ０、Ｄ０、Ｅ０、Ｆ０、Ｇ０、Ｈ０が合してなる
―  Ｖ−ＣＳＩ−ＲＳ  ｐｏｒｔ    １：アンテナＡ１、Ｂ１、Ｃ１、Ｄ１、Ｅ１、Ｆ１、Ｇ１、Ｈ１が合してなる
―  Ｖ−ＣＳＩ−ＲＳ  ｐｏｒｔ    ２：アンテナＡ２、Ｂ２、Ｃ２、Ｄ２、Ｅ２、Ｆ２、Ｇ２、Ｈ２が合してなる
―  Ｖ−ＣＳＩ−ＲＳ  ｐｏｒｔ    ３：アンテナＡ３、Ｂ３、Ｃ３、Ｄ３、Ｅ３、Ｆ３、Ｇ３、Ｈ３が合してなる
【００４７】
前記のように複数個のアンテナが二次元でＭ×Ｎ（垂直方向×水平方向）に配列された場合、Ｎ個の水平方向のＣＳＩ−ＲＳ  ｐｏｒｔとＭ個の垂直方向のＣＳＩ−ＲＳ  ｐｏｒｔを用いて  ＦＤ−ＭＩＭＯのチャンネルを測定することができる。すなわち、２個のＣＳＩ−ＲＳを用いる場合、Ｍ×Ｎ個の送信アンテナのためにＭ＋Ｎ個のＣＳＩ−ＲＳ  ｐｏｒｔを活用してチャンネル状態情報を把握することができるようになる。このようにより少ない数のＰＣＳＩ−ＲＳ  ｐｏｒｔ数を用いてより多い数の送信アンテナに対する情報を把握するようにすることはＣＳＩ−ＲＳオーバーヘッドを減らすのに重要な長所で作用する。前記では２個のＣＳＩ−ＲＳを用いてＦＤ−ＭＩＭＯの送信アンテナに対するチャンネル情報を把握し、このような接近はＫ個のＣＳＩ−ＲＳを用いる場合にも同様に適用されることができる。
【００４８】
図７で３２個の送信アンテナは８個のＨ−ＣＳＩ−ＲＳ  ｐｏｒｔと４個のＶ−ＣＳＩ−ＲＳ  ｐｏｒｔと割り当てられて送信されることによって端末にＦＤ−ＭＩＭＯシステムの無線チャンネルを測定するようにする。前記でＨ−ＣＳＩ−ＲＳは３１０のように端末が端末と基地局送信アンテナの間の水平角に対する情報を測定するようにする一方、Ｖ−ＣＳＩ−ＲＳは３２０のように端末が端末と基地局送信アンテナの間の垂直角に対する情報を測定するようにする。
【００４９】
一方、図７のように送信された複数個のＣＳＩ−ＲＳに対して端末はチャンネル情報を測定し、ここに基づいて生成されたＲＩ、ＰＭＩ、ＣＱＩを基地局で送信することによってＦＤ−ＭＩＭＯシステムの無線チャンネルを基地局へ通報する。
【００５０】
図８は、端末が２個のＣＳＩ−ＲＳに対してそれぞれＲＩ、ＰＭＩ、ＣＱＩを送信することを示す図面である。
【００５１】
図８で端末はＶ−ＣＳＩ−ＲＳとＨ−ＣＳＩ−ＲＳに対するそれぞれの独立的なフィードバック情報である第１フィードバック情報（ｆｅｅｄｂａｃｋ  １）と第２フィードバック情報（ｆｅｅｄｂａｃｋ  ２）が割り当てられる。すなわち、端末はＶ−ＣＳＩ−ＲＳを測定してｆｅｅｄｂａｃｋ  １のようなチャンネル状態情報を送信し、Ｈ−ＣＳＩ−ＲＳを測定してｆｅｅｄｂａｃｋ  ２のようなチャンネル状態情報を送信する。
【００５２】
前記でＲＩ、ＰＭＩ、ＣＱＩは互いに連関性をもって送信される。すなわち、ｆｅｅｄｂａｃｋ  １の場合、ＲＩＶは以後に送信されるＰＭＩＶがどんなｒａｎｋのｐｒｅｃｏｄｉｎｇ  ｍａｔｒｉｘを指すかを通報する。また、ＣＱＩＶは基地局がＲＩＶが指定するｒａｎｋで基地局が送信する時、ＰＭＩＶが指定する当該ｒａｎｋのｐｒｅｃｏｄｉｎｇ  ｍａｔｒｉｘを適用する場合、端末が受信可能なデータ伝送速度またはそれに相応する値に該当する。Ｆｅｅｄｂａｃｋ  ２の場合もｆｅｅｄｂａｃｋ  １と同様にＲＩ、ＰＭＩ、ＣＱＩが互いに連関性をもって送信される。
【００５３】
図８のようなフィードバック方法において端末がＦＤ−ＭＩＭＯのためのフィードバックを割り当られて過程は先ず端末が基地局から２個のＣＳＩ−ＲＳリソース｛ＣＳＩ−ＲＳ−１、ＣＳＩ−ＲＳ−２｝が割り当てられる、すなわち、端末は基地局から２個のＣＳＩ−ＲＳを受信してチャンネルを測定することが設定される。この時、端末は２個のＣＳＩ−ＲＳがそれぞれＶ−ＣＳＩ−ＲＳ若しくはＨ−ＣＳＩ−ＲＳに該当するか否かを確認することができないこともある。この後、端末はＲＲＣ（ｒａｄｉｏ  Ｒｅｓｏｕｒｃｅ  ｃｏｎｔｒｏｌ）情報を通じて２個のフィードバックが割り当てられるがこのフィードバック割り当てのためのＲＲＣ情報の例示は以下の表１のように形成されることができる。
【００５４】
【表１】
0006410054.tif 000002
【００５５】
表１でｆｅｅｄｂａｃｋ  １と２に対するＲＲＣ情報は、互いに独立的に割り当てられ、ＰＭＩコードブック情報（ＰＭＩ  ｃｏｄｅｂｏｏｋ  ｉｎｆｏｒｍａｔｉｏｎ）は当該のフィードバックのために用いられることができる可能なプリコーディングマトリクス（ｐｒｅｃｏｄｉｎｇ  ｍａｔｒｉｘ）の集合に対する情報を意味する。もし、ＰＭＩコードブック情報（ＰＭＩ  ｃｏｄｅｂｏｏｋ  ｉｎｆｏｒｍａｔｉｏｎ）がフィードバックのためのＲＲＣ情報に含まれない場合、各フィードバックは予め標準と定義された可能なすべてのｐｒｅｃｏｄｉｎｇ  ｍａｔｒｉｘがフィードバックのために用いられることができると認識する。
【００５６】
図８のようにＦＤ−ＭＩＭＯ基地局の複数個の送信アンテナのために複数個のｆｅｅｄｂａｃｋを設定して端末にとってチャンネル状態情報を基地局に報告するようにすることはＦＤ−ＭＩＭＯのための１つのチャンネル状態情報の報告方法であることができる。
【００５７】
このような方法は、ＦＤ−ＭＩＭＯのためのチャンネル状態情報を端末で生成して報告するのに追加的な具現が必要ないという長所が存在する。一方、図８のような方法のチャンネル状態情報の報告方法を用いる場合、ＦＤ−ＭＩＭＯシステムの性能を充分に得ることができない欠点がある。
【００５８】
ＦＤ−ＭＩＭＯシステムの性能を充分に得ることができないことは、図８のように複数個のＣＳＩ−ＲＳそれぞれに対する複数個のｆｅｅｄｂａｃｋを設定して端末にとってチャンネル状態情報を基地局で報告するようにすることだけでは、端末がＦＤ−ＭＩＭＯが適用された場合のｐｒｅｃｏｄｉｎｇを仮定したＣＱＩを基地局へ提供できないからである。
【００５９】
これに対してより具体的に説明すれば次のようである。ＦＤ−ＭＩＭＯシステムで複数個の送信アンテナが図７と同様に２次元に配列される場合、端末に送信される信号の垂直方向及び水平方向のｐｒｅｃｏｄｉｎｇがすべて適用されて送信される。すなわち、端末は図８のＰＭＩＨ、ＰＭＩＶに該当するｐｒｅｃｏｄｉｎｇのうちの１つだけ適用された信号を受信するのではなくＰＭＩＨ、ＰＭＩＶに該当するｐｒｅｃｏｄｉｎｇが同時に適用された信号を受信するようになる。ところが、図８のようにに端末がＰＭＩＨ、ＰＭＩＶに該当するｐｒｅｃｏｄｉｎｇが別に適用された場合のＣＱＩＨ、ＣＱＩＶのみを基地局に報告する場合、基地局は垂直及び水平方向でｐｒｅｃｏｄｉｎｇがすべて適用される場合のＣＱＩを端末に受けることができず、前記ｐｒｅｃｏｄｉｎｇがすべて適用される場合のＣＱＩに対しては基地局が自体的に判定しなければならない。このように基地局が垂直及び水平方向のｐｒｅｃｏｄｉｎｇがそれぞれ適用された場合のＣＱＩに基づいて垂直及び水平方向のｐｒｅｃｏｄｉｎｇがすべて適用された場合のＣＱＩ判定を任意に判定することはシステムの性能を低下させる原因として作用することができる。
【００６０】
したがって、本発明の実施形態では端末が垂直及び水平方向に該当する２個のＣＳＩ−ＲＳが割り当てられ、これに対してＦＤ−ＭＩＭＯのために必要なフィードバック情報であるＲＩ、ＰＭＩＨ、ＰＭＩＶだけでなく垂直及び水平方向でｐｒｅｃｏｄｉｎｇがすべて適用される場合のＣＱＩを基地局にフィードバックする方法を考慮する。すなわち、端末は垂直及び水平方向でｐｒｅｃｏｄｉｎｇがすべて適用される場合のＣＱＩを後述する方法によって生成し、前記生成されたＣＱＩを基地局にフィードバックする。
【００６１】
＜第１実施形態＞
図９は、本発明の第１実施形態によって端末が２個のＣＳＩ−ＲＳに対してＲＩ、ＰＭＩ、ＣＱＩを送信する方法を示す図面である。
【００６２】
図９で端末は図８とは異なり２個のＣＳＩ−ＲＳに基づく１個のフィードバック設定（ｆｅｅｄｂａｃｋ  ｃｏｎｆｉｇｕｒａｔｉｏｎ）によって２個のＣＳＩ−ＲＳに対するチャンネル状態情報を報告する。すなわち、本発明の第１実施形態による２個のＣＳＩ−ＲＳに対するフィードバック設定は次の表２のようなＲＲＣ情報で構成される。
【００６３】
【表２】
0006410054.tif 000003
【００６４】
表２でフィードバック設定は先ず、当該フィードバックが２個のＣＳＩ−ＲＳ｛ＣＳＩ−ＲＳ−１、ＣＳＩ−ＲＳ−２｝に対するものであり、それぞれのＣＳＩ−ＲＳが第１のチャンネル情報と第２のチャンネル情報に対応するという情報（Ｆｉｒｓｔ  Ｃｈａｎｎｅｌ  ｉｎｆｏｒｍａｔｉｏｎ  （ｈｏｒｉｚｏｎｔａｌ  Ｃｈａｎｎｅｌ）：ＣＳＩ−ＲＳ−１、Ｓｅｃｏｎｄ  Ｃｈａｎｎｅｌ  ｉｎｆｏｒｍａｔｉｏｎ  （ｖｅｒｔｉｃａｌ  Ｃｈａｎｎｅｌ）：ＣＳＩ−ＲＳ−２）を含む。本発明では第１のチャンネル情報と第２のチャンネル情報はそれぞれ水平と垂直方向に該当するＣＳＩ−ＲＳを示すと仮定するが、ここに限定せず第１のチャンネル情報と第２のチャンネル情報がそれぞれ垂直と水平に該当することもできる。
【００６５】
また、表２のフィードバック設定は端末が生成してフィードバックを行わなければならないフィードバック情報の種類をフィードバックモード（ｒｅｐｏｒｔｉｎｇ  ｏｒ  ｆｅｅｄｂａｃｋ  ｍｏｄｅ）情報で含む。ここで端末がＦＤ−ＭＩＭＯ  ｍｏｄｅ  １と設定された意味は端末がＣＳＩ−ＲＳ−１とＣＳＩ−ＲＳ−２に該当するそれぞれのＲＩであるＲＩ１、ＲＩ２、及びそれぞれのＰＭＩであるＰＭＩ１、ＰＭＩ２を生成して垂直及び水平方向でｐｒｅｃｏｄｉｎｇがすべて適用される場合のＣＱＩであるＣＱＩ１２を生成した後、ＣＱＩ１２とＰＭＩ１を同じタイミング（第１タイミング）に同時にフィードバックし、前記第１タイミングと別に設定されたタイミング（第２タイミング）にＲＩ１、ＲＩ２と  ＰＭＩ２を同時にフィードバックするということを示す。
【００６６】
この時、フィードバックタイミング情報（ｆｅｅｄｂａｃｋ  ｔｉｍｉｎｇ）はＣＱＩ１２とＰＭＩ１情報のフィードバック周期及びオフセットを設定する２個のパラメーターＮｐｄ、ＮＯＦＦＳＥＴ、ＣＱＩとＲＩ１、ＲＩ２とＰＭＩ２のフィードバック周期及びオフセットを設定する２個のパラメーターとＭＲＩ、ＮＯＦＦＳＥＴ、ＲＩから構成されることができる。すなわち、本発明の第１実施形態におけるフィードバック情報とフィードバックタイミングは次のように設定される：
−  ＣＱＩ１２、ＰＭＩ１：ＮｐｄサブフレームごとにＮＯＦＦＳＥＴ、ＣＱＩのオフセットをもってフィードバックが行われる。
−  フィードバック周期：Ｎｐｄ
−  フィードバックオフセット：ＮＯＦＦＳＥＴ、ＣＱＩ
−  ＲＩ１、ＲＩ２、ＰＭＩ２：ＭＲＩ  ＊  ＮｐｄサブフレームごとにＮＯＦＦＳＥＴ、ＣＱＩ＋ＮＯＦＦＳＥＴ、ＲＩのオフセットをもってフィードバックが行われる。
−  フィードバック周期：ＭＲＩ  ＊  Ｎｐｄ
−  フィードバックオフセット：ＮＯＦＦＳＥＴ、ＣＱＩ  ＋  ＮＯＦＦＳＥＴ、ＲＩ
【００６７】
前記説明でＦＤ−ＭＩＭＯのための端末のフィードバックはＲＩ１、ＲＩ２がすべて含まれることで説明したが垂直方向の送信は大きい散乱を持たないチャンネルの特性によってＲＩ２は  １と固定されてＲＩ１のみフィードバックされることもできる。また、ＲＩ１、ＲＩ２は別途の情報で符号化されなく、表３のように共に符号化されてＲＩ１２の情報でフィードバックされることもできる。
【００６８】
【表３】
0006410054.tif 000004
【００６９】
ＰＭＩコードブック情報（ＰＭＩ  ｃｏｄｅｂｏｏｋ  ｉｎｆｏｒｍａｔｉｏｎ）は当該のチャンネルのために用いられることができる可能なｐｒｅｃｏｄｉｎｇ  ｍａｔｒｉｘの集合に対する情報を意味して垂直及び水平方向に対して互いに異なるｐｒｅｃｏｄｉｎｇ  ｍａｔｒｉｘの集合が適用されることができる。もし、ＰＭＩ  ｃｏｄｅｂｏｏｋ  ｉｎｆｏｒｍａｔｉｏｎがフィードバックのためのＲＲＣ情報に含まれない場合、各フィードバックは予め標準と定義された可能なすべてのｐｒｅｃｏｄｉｎｇ  ｍａｔｒｉｘがフィードバックのために用いることができると認識する。
【００７０】
また、複数個のｐｒｅｃｏｄｉｎｇが適用された場合のＣＱＩ（すなわち、上述した垂直及び水平方向でｐｒｅｃｏｄｉｎｇがすべて適用される場合のＣＱＩ）をどんなに決定するかに対する定義が必要である。１個のｐｒｅｃｏｄｉｎｇだけが適用された場合のＣＱＩを計算する場合、端末は自分が通報したＲＩとＰＭＩによって指定されるｐｒｅｃｏｄｉｎｇがダウンリンクに適用されるという仮定下にＣＱＩを計算する。しかし、本発明の実施形態による前記ＣＱＩ１２の場合、端末は２個のｐｒｅｃｏｄｉｎｇすなわち、ＲＩ１及びＰＭＩ１によって生成されたプリコーディング１と、ＲＩ２及びＰＭＩ２により生成されたプリコーディング２が同時にダウンリンクに適用されるという仮定下にＣＱＩ（ＣＱＩ１２）を計算する。この時、端末が同時に２個のｐｒｅｃｏｄｉｎｇが適用されることをクロネッカー積（Ｋｒｏｎｅｃｋｅｒ  ｐｒｏｄｕｃｔ）で解釈することができる。クロネッカー積は次のように２個のｍａｔｒｉｘに対して定義される。
【００７１】
【数１】
0006410054.tif 000005
【００７２】
前記数式１でＡとＢは、それぞれＰＭＩ１とＰＭＩ２が指定するｐｒｅｃｏｄｉｎｇ  ｍａｔｒｉｘで取り替えることによって２個のｐｒｅｃｏｄｉｎｇが同時適用された場合のｐｒｅｃｏｄｉｎｇを得ることができる。端末はＣＱＩ１２を計算する時、前記数式をＰＭＩ１とＰＭＩ２が指定するｐｒｅｃｏｄｉｎｇ  ｍａｔｒｉｘに適用して得られるｐｒｅｃｏｄｉｎｇがダウンリンクに適用されたと仮定してＣＱＩを計算する。
【００７３】
本発明の第１実施形態は垂直方向と水平方向のチャンネル変化速度が互いに異なる特性を考慮したことであり、水平方向がよく変わる状況を考慮すれば水平方向に該当するＣＳＩ−ＲＳを表２の第１のチャンネル情報にマッピングして垂直方向に該当するＣＳＩ−ＲＳを第２のチャンネル情報にマッピングすれば良い。反対の場合には第１のチャンネル情報に垂直方向ＣＳＩ−ＲＳをマッピングして第２のチャンネル情報に水平方向ＣＳＩ−ＲＳをマッピングすれば良い。例えば、ユーザが建物で上下移動が多いか、或は平地で水平移動が多いか否かによってよく変わる成分が変わることができる。
【００７４】
＜第２実施形態＞
図１０は、本発明の第２実施形態によって端末が２個のＣＳＩ−ＲＳに対してＲＩ、ＰＭＩ、ＣＱＩを送信する方法を示す図面である。  
【００７５】
第２実施形態では第１実施形態とは異なりＣＱＩ１２、ＰＭＩ１、及びＰＭＩ２を同じタイミング（第１タイミング）に同時にフィードバックし、前記第１タイミングと別に設定されたタイミング（第２タイミング）にＲＩ１、ＲＩ２を同時にフィードバックする。
【００７６】
図１０で端末は前記図９のように２個のＣＳＩ−ＲＳに基づく１つのフィードバック設定（ｆｅｅｄｂａｃｋ  ｃｏｎｆｉｇｕｒａｔｉｏｎ）によって２個のＣＳＩ−ＲＳに対するチャンネル状態情報を報告する。すなわち、本発明の第２実施形態による２個のＣＳＩ−ＲＳに対するフィードバック設定以後の表４のような  ＲＲＣ情報で構成される。
【００７７】
【表４】
0006410054.tif 000006
【００７８】
表４におけるフィードバック設定は、先ず当該フィードバックが２個のＣＳＩ−ＲＳ｛ＣＳＩ−ＲＳ−１、ＣＳＩ−ＲＳ−２｝に対するものであり、それぞれのＣＳＩ−ＲＳが第１のチャンネル情報と第２のチャンネル情報に対応するという情報（Ｆｉｒｓｔ  Ｃｈａｎｎｅｌ  ｉｎｆｏｒｍａｔｉｏｎ  （ｈｏｒｉｚｏｎｔａｌ  Ｃｈａｎｎｅｌ）：ＣＳＩ−ＲＳ−１、Ｓｅｃｏｎｄ  Ｃｈａｎｎｅｌ  ｉｎｆｏｒｍａｔｉｏｎ（ｖｅｒｔｉｃａｌ  Ｃｈａｎｎｅｌ）：ＣＳＩ−ＲＳ−２）を含む。本発明では第１のチャンネル情報と第２のチャンネル情報はそれぞれ水平と垂直方向に該当するＣＳＩ−ＲＳを示すと仮定するが、ここに限定せず第１のチャンネル情報と第２のチャンネル情報がそれぞれ垂直と水平に該当することもできる。
【００７９】
また、表４のフィードバック設定は端末が生成してフィードバックを行わなければならないフィードバック情報の種類をフィードバックモード（ｒｅｐｏｒｔ  ｉｎｇ  ｏｒ  ｆｅｅｄｂａｃｋ  ｍｏｄｅ）情報で含む。ここで端末がＦＤ−ＭＩＭＯ  ｍｏｄｅ  ２と設定された意味は端末がＣＳＩ−ＲＳ−１とＣＳＩ−ＲＳ−２に該当するそれぞれのＲＩであるＲＩ１、ＲＩ２、及びそれぞれのＰＭＩであるＰＭＩ１、ＰＭＩ２を生成して垂直及び水平方向でｐｒｅｃｏｄｉｎｇがすべて適用される場合のＣＱＩであるＣＱＩ１２を生成した後ＣＱＩ１２、ＰＭＩ１、及びＰＭＩ２を同じタイミング（第１タイミング）に同時にフィードバックし、前記第１タイミングと別に設定されたタイミング（第２タイミング）にＲＩ１、ＲＩ２を同時にフィードバックするということを示す。
【００８０】
この時、フィードバックタイミング情報（ｆｅｅｄｂａｃｋ  ｔｉｍｉｎｇ）はＣＱＩ１２、ＰＭＩ１、及びＰＭＩ２情報のフィードバック週期及びオフセットを設定する２個のパラメーターＮｐｄ、ＮＯＦＦＳＥＴ、ＣＱＩとＲＩ１、ＲＩ２のフィードバック週期及びオフセットを設定する２個のパラメーターとＭＲＩ、ＮＯＦＦＳＥＴ、ＲＩから構成されることができる。すなわち、本発明の第２実施形態でのフィードバック情報とフィードバックタイミングは次のように設定される：
−  ＣＱＩ１２、ＰＭＩ１、ＰＭＩ２：ＮｐｄサブフレームごとにＮＯＦＦＳＥＴ、ＣＱＩのオフセットをもってフィードバックが行われる。
−  フィードバック周期：Ｎｐｄ
−  フィードバックオフセット：ＮＯＦＦＳＥＴ、ＣＱＩ
−  ＲＩ１、ＲＩ２：ＭＲＩ  ＊  ＮｐｄサブフレームごとにＮＯＦＦＳＥＴ、ＣＱＩ＋  ＮＯＦＦＳＥＴ、ＲＩのオフセットをもってフィードバックが行われる。
−  フィードバック周期：  ＭＲＩ  ＊  Ｎｐｄ
−  フィードバックオフセット：ＮＯＦＦＳＥＴ、ＣＱＩ  ＋  ＮＯＦＦＳＥＴ、ＲＩ
【００８１】
前記説明において、ＦＤ−ＭＩＭＯのための端末のフィードバックはＲＩ１、ＲＩ２がすべて含まれることで説明したが垂直方向の送信は大きい散乱を持たないチャンネルの特性によってＲＩ２は１と固定されてＲＩ１のみフィードバックされることもできる。また、ＲＩ１、ＲＩ２は別途の情報で符号化されなく表５のように共に符号化されてＲＩ１２の情報でフィードバックされることもできる。
【００８２】
【表５】
0006410054.tif 000007
【００８３】
ＰＭＩコードブック情報（ＰＭＩ  ｃｏｄｅｂｏｏｋ  ｉｎｆｏｒｍａｔｉｏｎは当該のチャンネルのために用いられることができる可能なｐｒｅｃｏｄｉｎｇ  ｍａｔｒｉｘの集合に対する情報を意味して垂直及び水平方向に対して互いに異なるｐｒｅｃｏｄｉｎｇ  ｍａｔｒｉｘの集合が適用されることができる。もし、ＰＭＩ  ｃｏｄｅｂｏｏｋ  ｉｎｆｏｒｍａｔｉｏｎがフィードバックのためのＲＲＣ情報に含まれない場合、各フィードバックは予め標準と定義された可能なすべてのｐｒｅｃｏｄｉｎｇ  ｍａｔｒｉｘがフィードバックのために用いられることができると認識する。
【００８４】
また、複数個のｐｒｅｃｏｄｉｎｇが適用された場合のＣＱＩ（すなわち、上述した垂直及び水平方向でｐｒｅｃｏｄｉｎｇがすべて適用される場合のＣＱＩ）をどんなに決定するかに対する定義が必要である。１個のｐｒｅｃｏｄｉｎｇだけが適用された場合のＣＱＩを計算する場合、端末は自分が通報したＲＩとＰＭＩによって指定されるｐｒｅｃｏｄｉｎｇがダウンリンクに適用されるという仮定下にＣＱＩを計算する。しかし、本発明の実施形態による前記ＣＱＩ１２の場合、端末は２個のｐｒｅｃｏｄｉｎｇすなわち、ＲＩ１及びＰＭＩ１によって生成されたプリコーディング１と、ＲＩ２及び  ＰＭＩ２によって生成されたプリコーディング２が同時にダウンリンクに適用されるという仮定下にＣＱＩ（ＣＱＩ１２）を計算する。この時、端末が同時に２個のｐｒｅｃｏｄｉｎｇが適用されることをクロネッカー積（Ｋｒｏｎｅｃｋｅｒ  ｐｒｏｄｕｃｔ）で解釈することができる。クロネッカー積は２個のｍａｔｒｉｘに対して定義される。第１実施形態に対する前述した前記数式１でＡとＢはそれぞれＰＭＩ１とＰＭＩ２が指定するｐｒｅｃｏｄｉｎｇ  ｍａｔｒｉｘで取り替えることによって２個のｐｒｅｃｏｄｉｎｇが同時適用された場合のｐｒｅｃｏｄｉｎｇを得ることができる。端末はＣＱＩ１２を計算する時、前記数式をＰＭＩ１とＰＭＩ２が指定するｐｒｅｃｏｄｉｎｇ  ｍａｔｒｉｘに適用して得られるｐｒｅｃｏｄｉｎｇがダウンリンクに適用されたと仮定してＣＱＩを計算する。
【００８５】
本発明の第２実施形態は垂直方向と水平方向のチャンネル変化速度が似ている場合を考慮してＰＭＩ１、ＰＭＩ２が同時に同じタイミングをもってフィードバックされる。
【００８６】
＜第３実施形態＞
図１１（ａ）と（ｂ）は本発明の第３実施形態によって端末が２個のＣＳＩ−ＲＳに対してＲＩ、ＰＭＩ、ＣＱＩを送信する方法を示す図面である。
【００８７】
第３実施形態では第１、２実施形態とは異なり端末がプリコーディングタイプインジケータ（ＰＴＩ）情報を追加でフィードバックでき、２個のＣＱＩでｗＣＱＩとｓＣＱＩをフィードバックする状況を考慮する。ここでＰＴＩはＲＩのようなタイミングに同時にフィードバックされてＰＴＩが０または１の値を持つことによってこの後に送信されるフィードバックの種類とタイミングが変更される。
【００８８】
図１１で端末は前記図９と１０のように２個のＣＳＩ−ＲＳに基づく１個のフィードバック設定（ｆｅｅｄｂａｃｋ  ｃｏｎｆｉｇｕｒａｔｉｏｎ）によって２個のＣＳＩ−ＲＳに対するチャンネル状態情報を報告する。すなわち、本発明の第３実施形態による２個のＣＳＩ−ＲＳに対するフィードバック設定は次の表６のようなＲＲＣ情報で構成される。
【００８９】
【表６】
0006410054.tif 000008
【００９０】
表６でフィードバック設定は、先ず当該フィードバックが２個のＣＳＩ−ＲＳ｛ＣＳＩ−ＲＳ−１、ＣＳＩ−ＲＳ−２｝に対するものであり、それぞれのＣＳＩ−ＲＳが第１のチャンネル情報と第２のチャンネル情報に対応するという情報（Ｆｉｒｓｔ  Ｃｈａｎｎｅｌ  ｉｎｆｏｒｍａｔｉｏｎ  （ｈｏｒｉｚｏｎｔａｌ  Ｃｈａｎｎｅｌ）：ＣＳＩ−ＲＳ−１、Ｓｅｃｏｎｄ  Ｃｈａｎｎｅｌ  ｉｎｆｏｒｍａｔｉｏｎ  （ｖｅｒｔｉｃａｌ  Ｃｈａｎｎｅｌ）：ＣＳＩ−ＲＳ−２）を含む。本発明では第１のチャンネル情報と第２のチャンネル情報はそれぞれ水平と垂直方向に該当するＣＳＩ−ＲＳを示すと仮定するが、ここに限定せず第１のチャンネル情報と第２のチャンネル情報がそれぞれ垂直と水平に該当することもできる。
【００９１】
また、表６のフィードバック設定は端末が生成してフィードバックを行わなければならないフィードバック情報の種類をフィードバックモード（ｒｅｐｏｒｔ  ｉｎｇ  ｏｒ  ｆｅｅｄｂａｃｋ  ｍｏｄｅ）情報で含む。ここで端末がＦＤ−ＭＩＭＯ  ｍｏｄｅ  ３と設定された意味は端末がＣＳＩ−ＲＳ−１とＣＳＩ−ＲＳ−２に該当するそれぞれのＲＩであるＲＩ１、ＲＩ２、及びそれぞれのＰＭＩであるＰＭＩ１、ＰＭＩ２を生成して垂直及び水平方向でｐｒｅｃｏｄｉｎｇがすべて適用される場合のｗＣＱＩであるｗＣＱＩ１２とｓＣＱＩであるｓＣＱＩ１２を生成した後、ＰＴＩを０と設定すればｗＣＱＩ１２、ＰＭＩ１を同じタイミング（第１タイミング）に同時にフィードバックし、これとは別に設定されたタイミング（第２タイミング）にＰＭＩ２をフィードバックし、また、異なるように設定されたタイミング（第３タイミング）にＲＩ１、ＲＩ２、及びＰＴＩを同時にフィードバックするということを示す。
【００９２】
さらに、ＦＤ−ＭＩＭＯ  ｍｏｄｅ  ３の設定下で端末がＰＴＩを１と設定すればｓＣＱＩ１２特定タイミング（第１タイミング）にフィードバックし、これとは別に設定されたタイミング（第２タイミング）にｗＣＱＩ１２とＰＭＩ１を同時にフィードバックし、これと別に設定されたタイミング（第３タイミング）にＲＩ１、ＲＩ２、及びＰＴＩを同時にフィードバックするということを示す。
【００９３】
この時、フィードバックタイミング情報（ｆｅｅｄｂａｃｋ  ｔｉｍｉｎｇ）はＰＴＩが０の場合にｗＣＱＩ１２、ＰＭＩ１とＰＴＩが１の場合にｓＣＱＩ１２の周期及びオフセットを設定する２個のパラメーターＮｐｄ  、ＮＯＦＦＳＥＴ、ＣＱＩ、及びＰＴＩが１の場合にｗＣＱＩ１２とＰＭＩ１の周期を設定するための１つのパラメーター  Ｈ＝Ｊ＊Ｋ＋１、及びＲＩ１、ＲＩ２、及びＰＴＩの周期及びタイミングを定義するための２個のパラメーターＭＲＩ、ＮＯＦＦＳＥＴ、ＲＩ、最後にＰＴＩ＝０の場合にＰＭＩ２の周期を設定するためのＨ’値から構成されることができる。ここでＪはダウンリンクシステム帯域幅（ｂａｎｄｗｉｄｔｈ）により決定される情報に、例えば１０ＭＨｚシステムでは３の値を持つ。そして、Ｎｐｄ、ＮＯＦＦＳＥＴ、ＣＱＩ、ＭＲＩ、ＮＯＦＦＳＥＴ、ＲＩ、Ｋ、Ｈ’値はＲＲＣ情報を通じて端末と設定される。すなわち、本発明の第３実施形態でのフィードバック情報とフィードバックタイミングは次のように設定される：
−  ＰＴＩ＝０の場合
−  ｗＣＱＩ１２、ＰＭＩ１：ＮｐｄサブフレームごとにＮＯＦＦＳＥＴ、ＣＱＩのオフセットをもってフィードバックが行われる。
−  フィードバック周期：Ｎｐｄ
−  フィードバックオフセット：ＮＯＦＦＳＥＴ、ＣＱＩ
−  ＰＭＩ２：Ｈ’＊  Ｎｐｄ  サブフレームごとに  ＮＯＦＦＳＥＴ、ＣＱＩ  のオフセットをもってフィードバックが行われる。すなわち、Ｈ’番のｗＣＱＩ１２、ＰＭＩ１のフィードバック送信ごとに１度ずつＰＭＩ２のフィードバックで取り替えられる。
−  フィードバック周期：  Ｈ’＊  Ｎｐｄ
−  フィードバックオフセット：ＮＯＦＦＳＥＴ、ＣＱＩ
−  ＲＩ１、ＲＩ２、及びＰＴＩ：ＭＲＩ＊Ｈ＊ＮｐｄサブフレームごとにＮＯＦＦＳＥＴ、ＣＱＩ  ＋  ＮＯＦＦＳＥＴ、ＲＩ  のオフセットをもってフィードバックが行われる。
−  フィードバック周期：ＭＲＩ＊Ｈ＊Ｎｐｄ
−  フィードバックオフセット：ＮＯＦＦＳＥＴ、ＣＱＩ  ＋  ＮＯＦＦＳＥＴ、ＲＩ
−  ＰＴＩ＝１の場合
−  ｓＣＱＩ１２：ＮｐｄサブフレームごとにＮＯＦＦＳＥＴ、ＣＱＩのオフセットをもってフィードバックが行われる。
−  フィードバック周期：Ｎｐｄ
−  フィードバックオフセット：ＮＯＦＦＳＥＴ、ＣＱＩ
−  ｗＣＱＩ１２、ＰＭＩ１：Ｈ＊ＮｐｄサブフレームごとにＮＯＦＦＳＥＴ、ＣＱＩのオフセットをもってフィードバックが行われる。すなわち、Ｈ番ｓＣＱＩ１２フィードバック送信ごとに１度ずつｗＣＱＩ１２とＰＭＩ１のフィードバックで取り替えられる。
−  フィードバック周期：Ｈ＊Ｎｐｄ
−  フィードバックオフセット：ＮＯＦＦＳＥＴ、ＣＱＩ
−  ＲＩ１、ＲＩ２、及びＰＴＩ：ＭＲＩ＊Ｈ＊ＮｐｄサブフレームごとにＮＯＦＦＳＥＴ、ＣＱＩ＋ＮＯＦＦＳＥＴ、ＲＩのオフセットをもってフィードバックが行われる。
−  フィードバック周期：ＭＲＩ＊Ｈ＊Ｎｐｄ
−  フィードバックオフセット：ＮＯＦＦＳＥＴ、ＣＱＩ  ＋  ＮＯＦＦＳＥＴ、ＲＩ
【００９４】
前記説明でＦＤ−ＭＩＭＯのための端末のフィードバックはＲＩ１、ＲＩ２がすべて含まれることで説明したが垂直方向の送信は大きい散乱を持たないチャンネルの特性によってＲＩ２は  １と固定されてＲＩ１のみフィードバックされることもできる。またＲＩ１、ＲＩ２は別途の情報で符号化されなく、表７のように共に符号化されてＲＩ１２の情報でフィードバックされることもできる。
【００９５】
【表７】
0006410054.tif 000009
【００９６】
ＰＭＩコードブック情報（ＰＭＩ  ｃｏｄｅｂｏｏｋ  ｉｎｆｏｒｍａｔｉｏｎ）は当該のチャンネルのために用いられることができる可能なｐｒｅｃｏｄｉｎｇ  ｍａｔｒｉｘの集合に対する情報を意味し、垂直及び水平方向に対して互いに異なるｐｒｅｃｏｄｉｎｇ  ｍａｔｒｉｘの集合が適用されることができる。もし、ＰＭＩ  ｃｏｄｅｂｏｏｋ  ｉｎｆｏｒｍａｔｉｏｎがフィードバックのためのＲＲＣ情報に含まれない場合、各フィードバックは予め標準と定義された可能なすべてのｐｒｅｃｏｄｉｎｇ  ｍａｔｒｉｘがフィードバックのために用いられることができると認識する。
【００９７】
また、複数個のｐｒｅｃｏｄｉｎｇが適用された場合のＣＱＩ（すなわち、上述した垂直及び水平方向でｐｒｅｃｏｄｉｎｇがすべて適用される場合のＣＱＩ）をどんなに決定するかに対する定義が必要である。１個のｐｒｅｃｏｄｉｎｇだけが適用された場合のＣＱＩを計算する場合、端末は自分が通報したＲＩとＰＭＩによって指定されるｐｒｅｃｏｄｉｎｇがダウンリンクに適用されるという仮定下にＣＱＩを計算する。しかし、前記ＣＱＩ１２の場合、端末は２個のｐｒｅｃｏｄｉｎｇすなわち、ＲＩ１及びＰＭＩ１によって生成されたプリコーディング１と、ＲＩ２及びＰＭＩ２によって生成されたプリコーディング２が同時にダウンリンクに適用されるという仮定下にＣＱＩを計算する。この時、端末が同時に２個のｐｒｅｃｏｄｉｎｇが適用されることをクロネッカー積（Ｋｒｏｎｅｃｋｅｒ  ｐｒｏｄｕｃｔ）で解釈することができる。クロネッカー積は２個のｍａｔｒｉｘに対して定義される。前記数式１でＡとＢはそれぞれＰＭＩ１とＰＭＩ２が指定するｐｒｅｃｏｄｉｎｇ  ｍａｔｒｉｘで取り替えることによって２個のｐｒｅｃｏｄｉｎｇが同時適用された場合のｐｒｅｃｏｄｉｎｇを得ることができる。端末はＣＱＩ１２を計算する時、前記数式をＰＭＩ１とＰＭＩ２が指定するｐｒｅｃｏｄｉｎｇ  ｍａｔｒｉｘに適用して得られるｐｒｅｃｏｄｉｎｇがダウンリンクに適用されたと仮定してＣＱＩを計算する。
【００９８】
本発明の第３実施形態は垂直方向と水平方向のチャンネル変化速度が互いに異なる特性を考慮したことであり、水平方向がよく変わる状況を考慮すれば水平方向に該当するＣＳＩ−ＲＳを表６の第１のチャンネル情報にマッピングして垂直方向に該当するＣＳＩ−ＲＳを第２のチャンネル情報にマッピングすれば良い。反対の場合には第１のチャンネル情報に垂直方向ＣＳＩ−ＲＳをマッピングして第２のチャンネル情報に水平方向ＣＳＩ−ＲＳをマッピングすれば良い。
【００９９】
前記第１、２、３実施形態で端末はＣＱＩ１２を計算するためにＰＭＩ１とＰＭＩ２それぞれが指定するｐｒｅｃｏｄｉｎｇ  ｍａｔｒｉｘにすべてに対する仮定が必要である。しかし、フィードバック送信の開始地点または特定フィードバックを送信することができない状況によって端末と基地局がＰＭＩ１とＰＭＩ２のうちの少なくとも１つを共有することができない状況が発生することができる。この場合に端末は共有することができない情報を予め決定した特定ＰＭＩ値と仮定した後のＣＱＩ１２を計算してフィードバックして基地局も予め決定した特定ＰＭＩ値と仮定されたＣＱＩ１２で解釈する。例えば、共有することができないＰＭＩは常０と仮定することができる。
【０１００】
図１２は、本発明の実施形態による基地局の動作手順を示すフローチャートである。
【０１０１】
先ず、基地局はＳ１２１０段階で複数個（特に、２個）のＣＳＩ−ＲＳに対する設定情報（ＣＳＩ−ＲＳ  ｃｏｎｆｉｇｕｒａｔｉｏｎ）を端末に送信する。前記ＣＳＩ−ＲＳに対する設定情報はＣＳＩ−ＲＳが送信されるサブフレームの位置、及び当該のサブフレームでＣＳＩ−ＲＳが配置されたリソース（ｒｅｓｏｕｒｃｅ）の位置情報を含む。
【０１０２】
さらに、基地局はＳ１２２０段階で、フィードバック設定情報（ｆｅｅｄｂａｃｋ  ｃｏｎｆｉｇｕｒａｔｉｏｎ）を端末に送信する。前記フィードバック設定情報は前記本発明のそれぞれの実施形態によって表２、表４、表６に示された情報を含むことができる。すなわち、フィードバック設定情報は２個のＣＳＩ−ＲＳをそれぞれ受信し、これらに対する１個のフィードバック情報を通報すること、同じタイミングで送信しなければならないフィードバック情報の種類、フィードバックタイミング関連パラメーター、フィードバック送信ボード（ＦＤ−ＭＩＭＯ  ｍｏｄｅ）のうちの少なくとも１個以上を含むことができる。
【０１０３】
さらに、基地局はＳ１２３０段階で、２個のＣＳＩ−ＲＳをそれぞれ端末へ送信する。
【０１０４】
すると、基地局はＳ１２４０段階で、決まったタイミングで端末から送信されるフィードバック情報を受信する。さらに、基地局はＳ１２５０段階で、端末から受信した前記フィードバック情報を処理して処理結果に基づいて端末にデータを送信する。
【０１０５】
図１３は、本発明の実施形態による端末の動作手順を示すフローチャートである。
【０１０６】
先ず、端末はＳ１３１０段階で複数個（特に、２個）のＣＳＩ−ＲＳに対する設定情報（ＣＳＩ−ＲＳ  ｃｏｎｆｉｇｕｒａｔｉｏｎ）を基地局から受信する。前記ＣＳＩ−ＲＳに対する設定情報はＣＳＩ−ＲＳが送信されるサブフレームの位置、及び当該のサブフレームでＣＳＩ−ＲＳが配置されたリソース（Ｒｅｓｏｕｒｃｅ）の位置情報を含む。
【０１０７】
さらに、端末はＳ１３２０段階で、フィードバック設定情報（ｆｅｅｄｂａｃｋ  ｃｏｎｆｉｇｕｒａｔｉｏｎ）を基地局から受信する。前記フィードバック設定情報は前記本発明のそれぞれの実施形態によって表２、表  ４、表６に示された情報を含むことができる。すなわち、フィードバック設定情報は２個のＣＳＩ−ＲＳをそれぞれ受信し、これらに対する１個のフィードバック情報を通報すること、同じタイミングで送信しなければならないフィードバック情報の種類、フィードバックタイミング関連パラメーター、フィードバック送信モード（ＦＤ−ＭＩＭＯ  ｍｏｄｅ）のうちの少なくとも１個以上を含むことができる。
【０１０８】
さらに、端末はＳ１３３０段階で、２個のＣＳＩ−ＲＳをそれぞれ基地局から受信する。
【０１０９】
すると、端末はＳ１３４０段階で、前記受信したフィードバック設定情報によってフィードバック情報を生成する。具体的にどんなフィードバック情報を生成するか否かに対しては各実施形態を通じて詳しく説明した事があるので、詳しい説明は省略する。
【０１１０】
さらに、端末はＳ１３５１０段階で、前記フィードバック設定情報で設定されたタイミングでフィードバック情報を基地局へ送信する  。そして端末はＳ１３６０段階で、基地局から送信されるデータを受信してこれを処理する。
【０１１１】
図１４は、本発明の実施形態による端末の内部構造を示すブロック図である。図１４を参照すれば、端末は通信部７１０と制御部７２０で構成される。
【０１１２】
通信部１４１０は外部（例えば、基地局）からデータを送信または受信する機能を行う。ここで通信部１４１０は制御部１４２０の制御下にＦＤ−ＭＩＭＯ技術のためのフィードバック情報を基地局に送信することができる。
【０１１３】
制御部１４２０は端末を構成するすべて構成の状態及び動作を制御する。ここで制御部１４２０は現在基地局から割り当てられた情報によってＦＤ−ＭＩＭＯのためのフィードバック情報を生成し、生成したチャンネル情報を基地局から割り当てられたタイミング情報によって基地局にフィードバックすることができるようにする。そうするために制御部はチャンネル推定部１４３０を含む。
【０１１４】
チャンネル推定部１４３０は基地局から受信されるＣＳＩ−ＲＳ及びフィードバック割り当て情報を通じて必要なフィードバック情報を判定し、これによって受信されたＣＳＩ−ＲＳを用いてチャンネルを推定する。
【０１１５】
ここで端末は通信部１４１０と制御部１４２０で構成されたことで説明しているが、ここに限定されない。すなわち、端末は端末で行われる機能によって多様な構成をさらに備えることができる。例えば、端末は端末の現状態を表示する表示部、ユーザから機能遂行などのような信号が入力される入力部、端末に生成されたデータを記憶する記憶部などを備えることができる。
【０１１６】
また、前記では制御部１４２０とチャンネル推定部１４３０が別途のブロックで構成されたと示したが、必ずここに限定されるものではない。例えば、チャンネル推定部１４３０が行う機能を制御部１４２０自体が行うこともできる。
【０１１７】
この場合、制御部１４２０は少なくとも２個の基準信号それぞれに対する設定情報を基地局から受信するように制御することができる。また、前記制御部１４２０は前記少なくとも２個の基準信号を測定して前記測定結果によるフィードバック情報を生成するためのフィードバック設定情報を前記基地局から受信するように制御することができる。以後、制御部１４２０は前記少なくとも２個の基準信号を前記基地局から受信し、前記受信された少なくとも２個の基準信号を測定して前記フィードバック設定情報によってフィードバック情報を生成する。さらに、制御部１４２０は前記生成されたフィードバック情報を前記フィードバック設定情報によるフィードバックタイミングから前記基地局に送信するように制御する。
【０１１８】
この場合、前記フィードバック設定情報は表２、表４、表６に示されたように第１基準信号が第１チャンネル情報に対応して第２基準信号が第２チャンネル情報に対応するということを指示する情報、第１タイミングと第２タイミングに送信するフィードバック情報の種類、またはフィードバックタイミング関連パラメーターのうちで少なくとも１個以上を含むことができる。
【０１１９】
さらに、前記フィードバック情報は第１基準信号に対応して生成された第１ランクインジケータ（ＲＩ１）、第２基準信号に対応して生成された第２ランクインジケータ（ＲＩ２）、第１基準信号に対応して生成された第１プリコーディングマトリクスインジケータ（ＰＭＩ１）、第２基準信号に対応して生成された第２プリコーディングマトリクスインジケータ（ＰＭＩ２）、第１ランクインジケータ及び第１プリコーディングマトリクスインジケータによって生成された第１プリコーディング及び第２ランクインジケータ及び第２プリコーディングマトリクスインジケータによって生成された第２プリコーディングを考慮して生成されたチャンネル品質インジケータ（ＣＱＩ１２）のうちの少なくとも１つを含むことができる。
【０１２０】
さらに、本発明の第１実施形態によれば、前記フィードバック情報は第１タイミングで前記チャンネル品質インジケータと第１プリコーディングマトリクスインジケータを送信し、第２タイミングで前記第１ランクインジケータ第２ランクインジケータ第２プリコーディングマトリクスインジケータを送信するように設定（ＦＤ−ＭＩＭＯ  ｍｏｄｅ  １）されることができる。
【０１２１】
また、本発明の第２実施形態によれば、前記フィードバック情報は第１タイミングで前記チャンネル品質インジケータ第１プリコーディングマトリクスインジケータ第２プリコーディングマトリクスインジケータを送信し、第２タイミングで第１ランクインジケータ第２ランクインジケータを送信するように設定（ＦＤ−ＭＩＭＯ  ｍｏｄｅ  ２）となることができる。
【０１２２】
さらに、本発明の第３実施形態によれば、前記フィードバック情報はプリコーディングタイプインジケータ情報をさらに含み、前記プリコーディングタイプインジケータの設定値によってフィードバック情報種類及び送信タイミングが決定されるように設定（ＦＤ−ＭＩＭＯ  ｍｏｄｅ  ３）されることができる。
【０１２３】
一方、本発明の実施形態で、前記端末が生成するチャンネル品質インジケータとは第１プリコーディングマトリクスインジケータが指示する第１プリコーディングマトリクスと、第２プリコーディングマトリクスインジケータが指示する第２プリコーディングマトリクスのクロネッカー積（Ｋｒｏｎｅｃｋｅｒ  ｐｒｏｄｕｃｔ）に対応することを特徴とする。
【０１２４】
図１５は、本発明の実施形態による基地局の内部構造を示すブロック図である。図１５を参照すれば、基地局は制御部１５１０と通信部１５２０で構成される。
【０１２５】
制御部１５１０は基地局を構成するすべての構成の状態及び動作を制御する。ここで制御部１５１０は端末の水平及び垂直成分のチャンネル推定のためのＣＳＩ−ＲＳリソースを割り当ててフィードバックリソース及びフィードバックタイミングを割り当てる。そのために制御部１５１０はリソース割り当て部１５３０をさらに備える。
【０１２６】
リソース割り当て部１５３０と言う端末が垂直及び水平成分チャンネルをそれぞれ推定するようにＣＳＩ−ＲＳをそれぞれのリソースに割り当てて、当該リソースを用いてＣＳＩ−ＲＳを送信する。また多くの端末からのフィードバックが衝突しないようにフィードバック設定及びフィードバックタイミングを割り当てて当該タイミングと設定されたフィードバック情報を受信して解釈する。
【０１２７】
通信部１５２０は、端末でデータ、基準信号及びフィードバック情報を送受信する機能を行う。ここで通信部１５２０は制御部１５１０の制御下に割り当てられたリソースを通じてＣＳＩ−ＲＳを端末に送信し、端末からチャンネル情報に対するフィードバックを受信する。
【０１２８】
前記では制御部１５１０とリソース割り当て部１５３０が別途のブロックで構成されたと示されたが、必ずここに限定されるものではない。例えば、リソース割り当て部１５３０が行う機能を制御部１５１０の自体が行うこともできる。
【０１２９】
この場合、制御部１５１０は少なくとも２個の基準信号それぞれに対する設定情報を端末に送信し、前記少なくとも２個の基準信号を測定して前記測定結果によるフィードバック情報を生成するためのフィードバック設定情報を前記端末に送信するように制御することができる。    
【０１３０】
また、前記制御部１５１０は前記少なくとも２個の基準信号を前記端末に送信し、前記フィードバック設定情報によるフィードバックタイミングで前記端末から送信されるフィードバック情報を受信するように制御することができる。
【０１３１】
上述した本発明の実施形態によれば、ＦＤ−ＭＩＭＯと同様の多い数の送信アンテナを持つ基地局でＣＳＩ−ＲＳを送信するのに過多な無線リソースを割り当てることを防止することができ、端末は効果的に多くの数の送信アンテナに対するチャンネルを測定し、これをフィードバック情報で構成して基地局に通報することができる。
【符号の説明】
【０１３２】
１４１０  通信部
１４２０  制御部
１４３０  チャネル推定部
１５１０  制御部
１５２０  通信部
１５３０  リソース割り当て部
【図１】
0006410054.tif 000010
【図２】
0006410054.tif 000011
【図３】
0006410054.tif 000012
【図４】
0006410054.tif 000013
【図５】
0006410054.tif 000014
【図６】
0006410054.tif 000015
【図７】
0006410054.tif 000016
【図８】
0006410054.tif 000017
【図９】
0006410054.tif 000018
【図１０】
0006410054.tif 000019
【図１１ａ】
0006410054.tif 000020
【図１１ｂ】
0006410054.tif 000021
【図１２】
0006410054.tif 000022
【図１３】
0006410054.tif 000023
【図１４】
0006410054.tif 000024
【図１５】
0006410054.tif 000025